(57)【要約】【課題】簡便かつ正確、確実に施工可能な床暖房装置を提供し、たとえば、床暖房装置を導入するユーザが容易に施工できる程度に簡便な構成のものとすること。【解決手段】加熱用長尺体１１が装備された複数の床暖房パネル１と、その床暖房パネル１の上部に貼着固定される状態で並設される複数の床仕上材２とを備えた床暖房装置であって、隣接配置される床暖房パネル１及び床仕上材２のうち一方の部材どうしの対向する端面に設けられ、床暖房パネル１及び床仕上材２どうしの厚み方向の相対移動を規制するサネ接続部Ｂと、隣接配置される床暖房パネル１及び床仕上材２のうち他方の部材どうしの対向する端面に設けられ、床暖房パネル１及び床仕上材２どうしの水平方向の相対移動を規制する嵌合接続部Ａと、を具備する。【選択図】図５
2013019646.tif 000002
【特許請求の範囲】
【請求項１】
加熱用長尺体が装備された複数の床暖房パネルと、その床暖房パネルの上部に貼着固定される状態で並設される複数の床仕上材とを備えた床暖房装置であって、
隣接配置される前記床暖房パネル及び前記床仕上材のうち一方の部材どうしの対向する端面に設けられ、前記床暖房パネル及び前記床仕上材どうしの厚み方向の相対移動を規制するサネ接続部と、
隣接配置される前記床暖房パネル及び前記床仕上材のうち他方の部材どうしの対向する端面に設けられ、前記床暖房パネル及び前記床仕上材どうしの水平方向の相対移動を規制する嵌合接続部と、を具備する床暖房装置。
【請求項２】
前記床仕上材の端面に、前記サネ接続部を設けるとともに、前記床暖房パネルの端面に、前記嵌合接続部を設けてある請求項１に記載の床暖房装置。
【請求項３】
前記サネ接続部が、前記床仕上材の前記対向する端面に、上側あいじゃくりサネ部と下側あいじゃくりサネ部とに振りわけて形成されるとともに、前記上側あいじゃくりサネ部とその下方の床暖房パネルとにより、前記下側あいじゃくりサネ部を狭持可能に形成してある請求項２に記載の床暖房装置。
【請求項４】
前記嵌合接続部は、隣接する前記他方の部材どうしの対向する端面の一方に、他方の前記端面に向けて突出する嵌合突出部を設け、前記他方の端面に、前記嵌合突出部を挟み込んで係脱可能に嵌合する嵌合凹部を設けて構成してある請求項１〜３のいずれか一項に記載の床暖房装置。
【請求項５】
前記嵌合接続部を設けた対向する端面の一方である第一端面の面内に凹部を形成するとともに、前記凹部内に前記嵌合突出部及び前記嵌合凹部の一方を設け、前記対向する端面の他方である第二端面に前記嵌合突出部及び前記嵌合凹部の他方を設け、
前記嵌合突出部と前記嵌合凹部との嵌合状態で、前記第一端面と第二端面とが当接または近接するように形成されている請求項４に記載の床暖房装置。
【請求項６】
前記嵌合凹部は板バネ体から形成されている請求項４または５に記載の床暖房装置。
【請求項７】
前記嵌合接続部が、ローラー部と、幅太部を設けた差込片とからなるローラーキャッチで構成されている請求項１〜６のいずれか一項に記載の床暖房装置。
【請求項８】
前記加熱用長尺体が、可撓性材料からなり、隣接する前記床暖房パネル間を横断する形態で配備されるとともに、前記隣接する床暖房パネルの端面に沿う直線部分を備える形態である請求項１〜７のいずれか一項に記載の床暖房装置。
【発明の詳細な説明】
【技術分野】
【０００１】
本発明は、加熱用長尺体が装備された複数の床暖房パネルと、その床暖房パネルの上部に接着剤等にて貼着される状態で並設される複数の床仕上材とを備えた床暖房装置に関する。
【背景技術】
【０００２】
一般に、床暖房装置は、加熱用長尺体が装備された床暖房パネルを床下地材上に敷設し、さらに、そのように敷設した床暖房パネルの上部に、木質材等にて形成された床仕上材を接着剤等にて貼着する状態で並設するようにしてある。
【０００３】
このような形態で床暖房装置を施工する場合、一般的には、床暖房パネルを床下地材に固定するのにクギや木ネジで固定する。また、床仕上材についても、固定が不十分であると、床仕上材どうしを並設する接続部分が浮き上がり易くなるなどの不都合が生じる場合がある。そこで、このような不都合を防止するために、確実な連結固定を行おうとすると、接着剤やクギによる固定作業が必要になるという実情がある。
【先行技術文献】
【特許文献】
【０００４】
【特許文献１】特開２００７−０５７２００号公報（図１３）
【発明の概要】
【発明が解決しようとする課題】
【０００５】
しかし、このような施工形態を採る場合、施工作業に熟練を要し、一般ユーザが正確かつ見栄えよく施工するのが困難であるため、このような不都合を解消する床暖房装置が望まれている。
【０００６】
したがって、本発明は上記実状に鑑み、簡便かつ正確、確実に施工可能な床暖房装置を提供し、たとえば、床暖房装置を導入するユーザが容易に施工できる程度に簡便な構成のものとすることを目的とする。
【課題を解決するための手段】
【０００７】
〔構成１〕
上記目的を達成するための本発明の床暖房装置の特徴構成は、
加熱用長尺体が装備された複数の床暖房パネルと、その床暖房パネルの上部に貼着固定される状態で並設される複数の床仕上材とを備えた床暖房装置であって、
隣接配置される前記床暖房パネル及び前記床仕上材のうち一方の部材どうしの対向する端面に設けられ、前記床暖房パネル及び前記床仕上材どうしの厚み方向の相対移動を規制するサネ接続部と、
隣接配置される前記床暖房パネル及び前記床仕上材のうち他方の部材どうしの対向する端面に設けられ、前記床暖房パネル及び前記床仕上材どうしの水平方向の相対移動を規制する嵌合接続部と、を具備する点にある。
【０００８】
〔作用効果１〕
上記構造では、隣接配置される前記床暖房パネル及び前記床仕上材のうち一方の部材が床暖房装置の厚み方向（上下方向）の移動をサネ接続部で規制し、他方の部材で水平方向の移動を嵌合接続部によって規制する。
【０００９】
上記構成を具体例をあげて説明すると、
隣接配置される床仕上材の端面にサネ接続部を設けるとともに、隣接配置される加熱用長尺体が装備された床暖房パネルの端面に嵌合接続部を設けて、床暖房パネルの上部に前記床仕上材が貼着固定された状態で、前記サネ接続部が、床仕上材の厚み方向の相対移動を規制するとともに、前記嵌合接続部が、前記床暖房パネルどうしの水平方向の相対移動を規制する構成とすることができる。以下これを第一形態と呼ぶ。
【００１０】
また、逆に、前記床暖房パネルの端面に前記サネ接続部を設けるとともに、前記床仕上材の端面に前記嵌合接続部を設けて、同様に構成することもできる。以下これを第二形態と呼ぶ。
【００１１】
すなわち、このような構成にしてあると、前記床暖房装置は、前記床暖房パネルと前記床仕上材とが積層構造となり、前記第一形態によると、前記床暖房パネルどうしが水平移動規制され、前記床仕上材どうしが、厚み方向に移動規制されるとともに、前記床暖房パネルと前記床仕上材とが貼着固定されているから、前記床暖房装置が全体として、水平方向にも厚み方向にも位置ずれ不可に一体化されることになる。逆に第二形態によると、前記床仕上材どうしが水平移動規制され、前記床暖房パネルどうしが、厚み方向に移動規制され、同様に、前記床暖房装置が全体として、水平方向にも厚み方向にも位置ずれ不可に一体化される。これらの形態によると、いずれであっても、前記床暖房パネルと前記床仕上材とで、前記床暖房パネルの水平方向及び厚み方向の位置ずれ防止機能を分担して発揮する。
【００１２】
このような床暖房パネルの構造によると、前記床仕上材と前記床暖房パネルとを一体として取り扱うことができるから、なお一層簡単に一体化した構成を組みあげることができ、利便性が高い。
【００１３】
したがって、前記床暖房装置の構成を極めて簡便な構成としつつ、確実に施工できるようにすることができるので、床暖房装置を導入するユーザが容易に施工することができるようになった。
【００１４】
なお、上記サネ接続部の構造は、いわゆる本サネ構造の他、いわゆるあいじゃくり構造であっても同様の効果を発揮する。
【００１５】
〔構成２〕
また、上記構成において、前記床仕上材の端面に、前記サネ接続部を設けるとともに、前記床暖房パネルの端面に、前記嵌合接続部を設けてあることが好ましい。
すなわち、先に述べた構成のうち第一形態とすることが好ましい。
【００１６】
〔作用効果２〕
上記構成によると、上面側の前記床仕上材の端面どうしの間に前記サネ接続部を設けてあるから、床仕上材に汎用されている構造がそのまま適用でき、かつ、前記床暖房パネルに対して前記嵌合接続部を導入しても、大幅に加工が困難になるわけではないから、前記第二形態を採用する場合に比べて、より簡便な構成を採用できる。また、前記床仕上材と前記床暖房パネルとを一体として取り扱い、前記床暖房パネルどうしを傾斜姿勢にして前記嵌合接続部を接合しつつ、前記床仕上材の前記サネ接続部を接続する作業性を行う場合に、前記サネ接続部が上側にあると、前記サネ接続部をガイドにしながら、前記嵌合接続部の接続作業が行えるから、前記第二形態よりも第一形態とするほうが作業性を高くすることができる。
【００１７】
〔構成３〕
また、前記サネ接続部が、前記床仕上材の前記対向する端面に、上側あいじゃくりサネ部と下側あいじゃくりサネ部とに振りわけて形成されるとともに、前記上側あいじゃくりサネ部とその下方の床暖房パネルとにより、前記下側あいじゃくりサネ部を狭持可能に形成してあってもよい。
【００１８】
〔作用効果３〕
上記構成によると、あいじゃくり構造によってもサネ接続部を構成することができ、このような構成により、前記床暖房パネル及び前記床仕上材どうしの厚み方向の相対移動を規制することができる。ここで、単純なあいじゃくり構造を採用するだけでは、前記床仕上材どうしの厚み方向の相対移動を規制する規制力が、本サネ構造に比べて弱くなる。しかし、上側あいじゃくりサネ部と床暖房パネル上面との間に、下側あいじゃくりサネ部を狭持可能に形成することにより、上記規制力を補うことができる。
【００１９】
すなわち、通常の本サネ構造では、隣接する床仕上材どうしを、一方の端面に形成された側溝部に他方の端面の厚さ内に形成された突条部を嵌め込んで接合する形態となるのに対して、上記構成においては、上側あいじゃくりサネ部と床暖房パネルとが、前記本サネ構造における前記側溝部の役割を果たし、前記下側あいじゃくりサネ部が、前記本サネ構造における、突条部の役割を果たすため、床仕上材と床暖房パネルとの積層構造が全体として本サネ構造を形成し、前記側溝部が前記突状部の厚み方向の相対移動を確実に規制することができる構造を実現できる。
【００２０】
また、このような場合、本サネを形成するために必要な厚みに比べて、あいじゃくりサネを形成するために必要な厚みが小さくなることから、床暖房装置全体として薄形に形成することができるとともに、床暖房パネルから上方への熱伝達効率も高めることができる。
【００２１】
〔構成４〕
また、前記嵌合接続部は、隣接する前記他方の部材どうしの対向する端面の一方に、他方の前記端面に向けて突出する嵌合突出部を設け、前記他方の端面に、前記嵌合突出部を挟み込んで係脱可能に嵌合する嵌合凹部を設けて構成してあってもよい。
【００２２】
〔作用効果４〕
つまり、上記構成によると、隣接する前記他方の部材どうしの対向する端面の一方に設けられる嵌合突出部と、他方に設けられる嵌合凹部との間で、前記嵌合接続部を係脱可能に嵌合接続させることができる。この際、前記嵌合突出部と前記嵌合凹部とは、前記嵌合凹部が前記嵌合突出部を水平方向から挟み込む簡単な構造で嵌合するから、前記他方の部材どうしが端面に沿う方向で水平方向に位置ずれするのを規制し、前記床暖房装置を構成する前記他方の部材が相対移動して位置ずれするのを抑制する。なお、ここでいう端面の一方、他方はいずれの他方の部材に配置されていてもよく嵌合突出部と嵌合凹部の振りわけ方は問わない。
【００２３】
〔構成５〕
また、上記構成において、前記嵌合接続部を設けた対向する端面の一方である第一端面の面内に凹部を形成するとともに、前記凹部内に前記嵌合突出部及び前記嵌合凹部の一方を設け、前記対向する端面の他方である第二端面に前記嵌合突出部及び前記嵌合凹部の他方を設け、
前記嵌合突出部と前記嵌合凹部との嵌合状態で、前記第一端面と第二端面とが当接または近接するように形成されていてもよい。
【００２４】
〔作用効果５〕
上記構成によると、前記嵌合突出部と前記嵌合凹部を嵌合させた場合、前記第一端面と第二端面とが当接または近接するから、前記第一、第二端面の端部位置を目安に位置合わせを容易にすることができるという利点も生じる。
【００２５】
〔構成６〕
前記嵌合凹部は板バネ体から形成されていてもよい。
【００２６】
〔作用効果６〕
前記嵌合凹部を形成する部材は、嵌合操作性の観点からは、板ばね体で形成することにより、前記嵌合凹部内に前記嵌合突出部を押し込み、引き抜く操作で簡便に着脱可能にするとともに、抜け止め効果を発揮させることができる。
また、前記嵌合凹部が板バネ体であると、嵌合凹部が嵌合突出部を挟み込みつつ嵌合姿勢に引きよせるよう作業をすすめられるので作業性が高く、かつ、嵌合接続部の抜け止めの機能も果たし易い。
【００２７】
このような板ばね体としては、金属バネ材や、樹脂材があげられる。
【００２８】
〔構成７〕
前記嵌合接続部がローラー部と幅太部を設けた差込片とからなるローラーキャッチで構成されていてもよい。
【００２９】
〔作用効果７〕
前記嵌合接続部をローラー部と幅太部を設けた差込片とからなるローラーキャッチから構成しておくと、ローラーキャッチのローラー部が嵌合凹部を成すとともに、幅太部を設けた差込片が嵌合突出部を成すので、嵌合接続部の着脱操作を簡便な構成で行え、かつ、抜け止め効果を発揮させることができる。また、ローラーキャッチのローラー部は、差込片の幅太部をローラー部が乗り越える位置まで差し込むと、前記嵌合凹部を板バネ体から構成した場合と同様に、ローラー部が差込片を挟み込みつつ嵌合姿勢に引きよせるよう作業をすすめられるので作業性が高く、かつ、嵌合接続部の抜け止めの機能も果たし易い。
【００３０】
〔構成８〕
前記加熱用長尺体が、可撓性材料からなり、隣接する前記床暖房パネル間を横断する形態で配備されるとともに、前記隣接する床暖房パネルの端面に沿う直線部分を備える形態であることが望ましい。
【００３１】
〔作用効果８〕
前記加熱用長尺体が可撓性材料からなり、隣接する前記床暖房パネル間を横断する形態で配備されると、前記床暖房パネルどうしを山谷交互に折り畳むように積層して、一体のものとして取り扱うことができる。
【００３２】
ここで、前記隣接する床暖房パネル間を斜めに横断する加熱用長尺体は、前記隣接する床暖房パネルにおける端面に沿う直線部分を備えるから、前記床暖房パネルどうしを交互に折り畳んだときに、前記加熱用長尺体における床暖房パネルにおける端面に沿う直線部分が全体的に捩れる状態となる。
【００３３】
また、前記隣接する床暖房パネルどうしを、その端面に沿う前記加熱用長尺体の直線部分を介して、接続しつつ相互に離間した状態とすることができる。そのため、床暖房パネルを山谷交互に折り畳みやすくなるとともに、前記床暖房パネルを敷設施工する場合に、嵌合接続部の嵌合のための余裕代を確保し易いものとなる。また、前記床暖房パネルを前記離間状態から近接させつつ接続作業を行う際に、前記直線部分が、嵌合接続部を位置合わせする際のガイドとなる。よって、床暖房パネルの接合のための作業が行い易いものとなる。
【００３４】
したがって、パネル形成体を山谷交互に折り畳む際の熱媒流通管の折れ曲がりを一段と抑制するようにする上で好適な手段を提供することができる。
【発明の効果】
【００３５】
したがって、簡便かつ正確、確実に施工可能で、熟練を要さず簡単操作で施工可能な、簡単な構成の床暖房装置を提供することができるようになり、床暖房装置を導入するユーザが容易に施工できるようになった。
【図面の簡単な説明】
【００３６】
【図１】本発明の床暖房装置の平面図である。
【図２】パネル成形体の斜視図である
【図３】嵌合接続部の作用説明斜視図である。
【図４】嵌合接続部の作用説明横断平面図である。
【図５】嵌合接続部の作用説明縦断側面図である。
【図６】本発明の床暖房装置の施工状態を示す図である。
【図７】本発明の実施形態の変形例を示す斜視図である。
【図８】本発明の実施形態の変形例を示す平面図である。
【発明を実施するための形態】
【００３７】
以下に、本発明の床暖房装置を説明する。なお、以下に好適な実施形態を記すが、これら実施形態はそれぞれ、本発明をより具体的に例示するために記載されたものであって、本発明の趣旨を逸脱しない範囲において種々変更が可能であり、本発明は、以下の記載に限定されるものではない。
【００３８】
〔床暖房装置〕
図１、図６に示すように、床暖房装置Ｈは、加熱用長尺体としての熱媒流通管１１が装備され且つ表面にシート状の均熱体１２が止着された床暖房パネル１と、床暖房パネル１の上部に接着剤等にて貼着される状態で並設される複数の床仕上材２とを備えて構成してあるパネル成形体Ｐからなり、パネル成形体Ｐの複数を並設して、互いに嵌合接続して敷設可能に構成してある。ここで、前記床暖房装置Ｈは、室内のフローリング等の床下地材Ｆに敷設された状態で用いられ、たとえば外形形状が矩形となるように前記床仕上材２を上面として水平方向に並設される。また、並設されたパネル成形体Ｐの周辺には、周辺パネル固定部材Ｐ２が配設され、前記床下地材Ｆと前記床仕上材２の上面との間の段差をなだらかに接続するとともに、前記パネル成形体Ｐの位置決め固定を行うように構成する（図６（ｂ）参照，図６（ａ）におけるＶＩｂ−ＶＩｂ断面）。
【００３９】
前記熱媒流通管１１は、ヘッダ３を介して前記周辺パネル固定部材Ｐ２とともに床下地材Ｆに固定される熱媒供給装置４に接続されてダミーパネル４１の挿通孔に通した温水供給管がヘッダ３に連通するように接続され、前記パネル成形体Ｐにそれぞれ設けられた熱媒流通管１１どうしが全体として、熱源機等の熱媒供給装置４から熱媒の供給を受けて、前記均熱体１２、床仕上材２を介して室内に放熱可能な大きな一本の熱媒流通路を形成するように構成してある。
【００４０】
〔床暖房パネル〕
図１、図２に示すように、前記パネル成形体Ｐは、床暖房パネル１上に、床仕上材２を貼着してなり、前記床暖房パネル１は、熱伝導率が低く軽量の発泡ポリスチレン等の断熱パネル体１３の上面に熱媒流通管１１を敷設するための配設パターンに沿った溝部１１ａを形成するとともに、前記溝部１１ａに銅管、可撓性の架橋ポリエチレン、ポリブテン等からなる樹脂製の熱媒流通管１１が嵌入固定される。また、前記断熱パネル体１３の周部には、木質の補強枠１４が設けられている。また、前記断熱パネル体１３の上面には、アルミシート等からなる前記均熱体１２が止着されている。これにより、前記熱媒流通管１１に供給された、温水等の熱媒から伝達される熱は、前記均熱体１２に沿って前記床暖房パネル１の表面側全面に伝達され、上方空間を均等に加熱可能に構成される。
【００４１】
なお、前記熱媒流通管１１は、複数の床暖房パネル１にわたって装備されるとともに、前記熱媒流通管１１は、隣接する床暖房パネル１間を斜めに横断する形態で配備されている。また、熱媒流通管１１が隣接する床暖房パネル１間を斜めに横断する形態が、前記隣接する床暖房パネル１における端面に沿う直線部分１１ｂを備え、かつ、その直線部分１１ｂの両端より湾曲する状態で伸びる一対の湾曲状部分１１ｃを備える。
【００４２】
図３〜５に示すように、前記床暖房パネル１の一つの端面（第一端面）１４ａには、端面どうしの間に、嵌合接続部Ａを形成するための凹部１５を設けてある。前記凹部１５は、前記床暖房パネル１の補強枠１４に、直方体形に形成されるとともに、その凹部１５内に矢じり形の嵌合突出部１６を形成してある。また、前記床暖房パネル１を並設したときに、互いに隣接する床暖房パネル１における他の端面（第二端面）１４ｂには、前記嵌合突出部１６に対向する位置に、板ばね材を屈曲形成してある嵌合凹部１７を前記嵌合突出部１６に対して密嵌自在に取り付けて設けてある。また、前記嵌合突出部１６は、前記パネル成形体Ｐの第二端面１４ｂに設けた嵌合凹部１７を接続したときに、隣接する前記パネル成形体Ｐどうしの間における前記第一端面１４ａと第二端面１４ｂとが接当するように形成されている。なお、前記嵌合突出部１６は、パネル成形体Ｐの第一端面１４ａに複数設けてある。
【００４３】
〔床仕上材〕
前記床仕上材２は、木質材にて矩形板状に形成してあり、隣接する床仕上材２どうしを、一方の端面に形成された側溝部２１に他方の端面の厚さ内に形成された突条部２２を嵌め込んで接合する、所謂、サネにて接合するサネ接続部Ｂを設けて構成してある。この床仕上材２は、接着剤等にて前記床暖房パネル１に接着一体化されている。
【００４４】
〔施工方法〕
そして、図１及び図２に示すように、前記床暖房装置Ｈは、床暖房パネル１と前記床仕上材２とが一体化されてなるパネル成形体Ｐからなり、山谷交互に折り畳まれた状態から、互いに端面を突き合わせた状態で隣接する床暖房装置Ｈどうしが嵌合接続部Ａどうし、及び、サネ接続部Ｂどうしがそれぞれ嵌合接続されるように展開され、一体化された床暖房装置Ｈ全体を前記周辺パネル固定部材Ｐ２を用いて位置決め固定するとともに接続された床暖房装置Ｈそれぞれに設けられた熱媒流通管１１をヘッダ３を介して前記周辺パネル固定部材Ｐ２とともに床下地材Ｆに固定される熱媒供給装置４に接続されてダミーパネル４１の挿通孔に通した温水供給管がヘッダ３に連通するように接続される。これらの作業は、各部材を順次嵌めこみ組み上げていくことにより行えるから、一般ユーザが簡便に行えるものとなっている。なお、前記パネル成形体Ｐどうしを突き合わせた際に、前記床暖房パネル１どうしは、当接するように設けられても良いが、施工作業性や、床暖房パネル１の熱膨張しろを考慮して、約１ｍｍ〜５ｍｍ程度のクリアランスを持ちつつ近接するように形成されている。
【００４５】
このようにして固定された床暖房装置Ｈ間は、隣接配置される前記床仕上材２の端面どうしの間に、サネ接続部Ｂを設けて前記床仕上材２どうしの厚み方向の相対移動を規制するとともに、隣接配置される前記床暖房パネル１どうしの端面どうしの間に、嵌合接続部Ａを設けて前記床暖房パネル１及び前記床仕上材２どうしの水平方向の相対移動を規制してあるから、全体として強固に一体化し、簡便に設置できるものでありながら、厚み方向にめくれたり、水平方向に位置ずれしたりしにくい安定した構造となる。
【００４６】
〔実施形態の変形例〕
（１）上記実施形態では、床暖房パネル１どうしを嵌合接続部Ａにより接続するとともに、床仕上材２どうしの接続をサネ接続部Ｂにより行ったが、逆でも良い。つまり、床暖房パネル１どうしをサネ接続部Ｂにより接続するとともに、床仕上材２どうしの接続を嵌合接続部Ａにより行ってもよい。
【００４７】
（２）嵌合接続部Ａは、嵌合突出部１６を第一端面１４ａの凹部１５内に設け、嵌合凹部１７を第二端面１４ｂに設けたが、逆でもよい。つまり、嵌合凹部１７を第一端面１４ａの凹部１５内に設け、嵌合突出部１６を第二端面１４ｂに設けてもよい。さらにいえば、前記凹部１５を設けることなく嵌合突出部１６と嵌合凹部１７とを設けてあってもよい。また、前記嵌合突出部１６や嵌合凹部１７の形状や材質についても種々変更を行うことができる。
【００４８】
（３）前記嵌合接続部Ａは、前記実施形態における板バネに代えて、ローラーキャッチを用いることもできる（図７参照）。
【００４９】
（４）前記サネ接続部Ｂとしては、上記実施形態における本サネ構造に代えて、あいじゃくり構造とすることができる。
【００５０】
このような構成としては、図７に示すように前記床仕上材２の端面に、一方側に上側あいじゃくりサネ部２１ａを設け、他方側に下側あいじゃくりサネ部２２ａを設けてなるサネ接続部を設け、上側あいじゃくりサネ部２１ａと床暖房パネル１上面との間に、下側あいじゃくりサネ部２２ａを狭持可能に形成することにより、全体として本サネ構造を形成し、あいじゃくり構造のサネ接続部が前記床仕上材２どうしの厚み方向の相対移動を規制する機能を補わせることができる。
【００５１】
なお、図７においては、嵌合接続部Ａは、第一端面１４ａの凹部１５内に嵌合凹部１７を設けるとともに第二端面１４ｂに嵌合突出部１６を設けた構成としてあり（上記変形例（２））、前記嵌合凹部１７として、ローラーキャッチのローラー部、前記嵌合突出部１６として、ローラーキャッチの差込片を採用している（上記変形例（３））例を図示している。このような構成により、差込片の幅太部がローラー部を乗り越える位置まで差し込むと、前記嵌合凹部１７を板バネ体から構成した場合と同様に、ローラー部が差込片を挟み込みつつ嵌合姿勢に引きよせるよう作業をすすめられるので作業性が高く、かつ、嵌合接続部Ａの抜け止めの機能も果たし易い。
【００５２】
（５）上記実施形態では一本の熱媒流通管１１がパネル成形体Ｐの複数にわたって装備され、床暖房装置Ｈ全体として折り畳み可能とし、施工作業性を高める構成としたが、個々のパネル成形体が個別に形成されて、各別に取り外し可能である構成とし、施工時に、各パネル成形体に設けられた熱媒供給管どうしを、それぞれのパネル成形体Ｐに設けられるヘッダにより一体化する構成として、床暖房装置の拡張性、配置の自由度を高める構成としてあってもよい。
【００５３】
（６）前記実施形態では、前記熱媒流通管１１は前記隣接する床暖房パネル１の端面に沿う直線部分１１ｂを備える構成としたが、前記隣接する床暖房パネル１間のクリアランスが充分にある場合、単に隣接する床暖房パネル１間を斜めに横断する形態で配備されていてもよい。この場合、前記クリアランスの部分を斜めに横断する熱媒流通管部分１１ｄを揺動させることにより、前記床暖房パネル１どうしを離間させることができるので、パネル成形体Ｐどうしを山谷交互に折り畳んだり、敷設施工作業を行うための余裕代を確保したりすることができる。なお、揺動可能な熱媒流通管１１の部分を充分に確保するためには、図８に示すように、床暖房パネル１の端面における前記熱媒流通管１１の横断箇所近傍に前記熱媒流通管１１の揺動を許容する凹部１８を設けてあることが好ましい。このようにしてあれば、前記熱媒流通管１１は、前記凹部１８をクリアランスとして床暖房パネル１間を斜めに横断する形態となり(図８（ａ）)、前記凹部１８内の前記熱媒流通管部分１１ｄが比較的長い区間にわたって揺動変形可能になるため（図８（ｂ））、上記余裕代が充分に確保し易い。また、前記熱媒流通管１１は、パネル成形体どうしを敷設施工した後に、蛇行する姿勢で前記凹部１８内に収納される形態となっていても良い。
【産業上の利用可能性】
【００５４】
本発明の床暖房装置は、極めて簡便な構成で確実に施工できるので、床暖房装置を導入するユーザが容易に施工することができるようになり、床暖房装置の普及に寄与する。
【符号の説明】
【００５５】
１        ：床暖房パネル
１１      ：熱媒流通管（加熱用長尺体）
１１ａ    ：溝部
１２      ：均熱体
１３      ：断熱パネル体
１４      ：補強枠
１４ａ    ：第一端面
１４ｂ    ：第二端面
１５      ：凹部
１６      ：嵌合突出部
１７      ：嵌合凹部
２        ：床仕上材
２１      ：側溝部
２２      ：突条部
３        ：ヘッダ
４        ：熱媒供給装置
４１      ：ダミーパネル
Ａ        ：嵌合接続部
Ｂ        ：サネ接続部
Ｆ        ：床下地材
Ｈ        ：床暖房装置
Ｐ        ：パネル成形体
Ｐ２      ：周辺パネル固定部材
【図１】
2013019646.tif 000003
【図２】
2013019646.tif 000004
【図３】
2013019646.tif 000005
【図４】
2013019646.tif 000006
【図５】
2013019646.tif 000007
【図６】
2013019646.tif 000008
【図７】
2013019646.tif 000009
【図８】
2013019646.tif 000010